(57)【要約】  本開示は、ＯＬＥＤ画素回路及びその駆動方法、表示装置を提供し、表示技術分野に関し、短絡したサブ画素がその周りのサブ画素の表示に影響することを避けることができる。前記ＯＬＥＤ画素回路は、駆動モジュールと、発光モジュールと、短絡保護モジュールとを含み、前記駆動モジュールは、それぞれ走査信号入力端、データ信号入力端、第１電圧端及び前記発光モジュールに接続され、前記走査信号入力端、前記データ信号入力端及び前記第１電圧端の制御下で発光モジュールを駆動して発光させるために用いられ、前記発光モジュールは、さらに第２電圧端に接続され、前記駆動モジュール及び前記第２電圧端の制御下で発光するために用いられ、前記短絡保護モジュールは、前記駆動モジュール及び前記発光モジュールに接続され、前記発光モジュールが短絡した時、前記駆動モジュールを制御してオフさせるために用いられる。
2020502549.tif 000002
【特許請求の範囲】
【請求項１】
駆動モジュールと、発光モジュールと、短絡保護モジュールとを含むＯＬＥＤ画素回路であって、
前記駆動モジュールは、それぞれ走査信号入力端、データ信号入力端、第１電圧端及び前記発光モジュールに接続され、前記走査信号入力端、前記データ信号入力端及び前記第１電圧端の制御下で前記発光モジュールを駆動して発光させるために用いられ、
前記発光モジュールは、さらに第２電圧端に接続され、前記駆動モジュール及び前記第２電圧端の制御下で発光するために用いられ、
前記短絡保護モジュールは、前記駆動モジュール及び前記発光モジュールに接続され、前記発光モジュールが短絡した時、前記駆動モジュールを制御してオフさせるために用いられる
ＯＬＥＤ画素回路。
【請求項２】
前記駆動モジュールは、第１トランジスタと、第１コンデンサと、第２トランジスタとを含み、
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第１極に接続され、
前記第２トランジスタはＮ型トランジスタである
請求項１に記載のＯＬＥＤ画素回路。
【請求項３】
前記駆動モジュールは、第１トランジスタと、第１コンデンサと、第２トランジスタとを含み、
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第２極に接続され、
前記第２トランジスタはＮ型トランジスタである
請求項１に記載のＯＬＥＤ画素回路。
【請求項４】
前記発光モジュールはＯＬＥＤを含み、前記ＯＬＥＤは、アノードが前記駆動モジュールに接続され、カソードが前記第２電圧端に接続される
請求項１に記載のＯＬＥＤ画素回路。
【請求項５】
前記短絡保護モジュールは、第３トランジスタと、第２コンデンサとを含み、
前記第３トランジスタは、ゲート及び第１極がいずれも前記発光モジュール及び前記駆動モジュールに接続され、第２極が前記第２コンデンサの第１端に接続され、
前記第２コンデンサの第２端が前記駆動モジュールに接続され、
前記第３トランジスタはＰ型トランジスタである
請求項１に記載のＯＬＥＤ画素回路。
【請求項６】
前記駆動モジュールは、第１トランジスタと、第１コンデンサと、第２トランジスタとを含み、
前記発光モジュールは、ＯＬＥＤを含み、
前記第３トランジスタのゲート及び第１極は、それぞれ前記第２トランジスタの第２極及び前記ＯＬＥＤのアノードのいずれにも接続され、
前記第２コンデンサの第２端は、前記第１トランジスタの第２極及び前記第２トランジスタのゲートのいずれにも接続される
請求項５に記載のＯＬＥＤ画素回路。
【請求項７】
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第１極に接続される
請求項６に記載のＯＬＥＤ画素回路。
【請求項８】
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第２極に接続される
請求項６に記載のＯＬＥＤ画素回路。
【請求項９】
前記短絡保護モジュールは、第４トランジスタと、第２コンデンサとを含み、
前記第４トランジスタは、ゲートが前記発光モジュール及び前記駆動モジュールのいずれにも接続され、第１極が前記発光モジュール及び前記第２電圧端のいずれにも接続され、第２極が前記第２コンデンサの第１端に接続され、
前記第２コンデンサの第２端は前記駆動モジュールに接続され、
前記第４トランジスタはＰ型トランジスタである
請求項１に記載のＯＬＥＤ画素回路。
【請求項１０】
前記駆動モジュールは、第１トランジスタと、第１コンデンサと、第２トランジスタとを含み、
前記発光モジュールは、ＯＬＥＤを含み、
前記第４トランジスタは、ゲートが前記第２トランジスタの第２極及び前記ＯＬＥＤのアノードのいずれにも接続され、第１極が前記ＯＬＥＤのカソード及び前記第２電圧端のいずれにも接続され、
前記第２コンデンサの第２端は、前記第１トランジスタの第２極及び前記第２トランジスタのゲートのいずれにも接続される
請求項９に記載のＯＬＥＤ画素回路。
【請求項１１】
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第１極に接続される
請求項１０に記載のＯＬＥＤ画素回路。
【請求項１２】
前記第１トランジスタは、ゲートが前記走査信号入力端に接続され、第１極が前記データ信号入力端に接続され、第２極が前記第２トランジスタのゲートに接続され、
前記第２トランジスタは、第１極が前記第１電圧端に接続され、第２極が前記発光モジュールに接続され、
前記第１コンデンサは、第１端が前記第１トランジスタの第２極に接続され、第２端が前記第２トランジスタの第２極に接続される
請求項１０に記載のＯＬＥＤ画素回路。
【請求項１３】
前記第１トランジスタはＮ型トランジスタである
請求項２、３、６、７、８、１０、１１、および１２のいずれか一項に記載のＯＬＥＤ画素回路。
【請求項１４】
請求項１−１３のいずれか一項に記載のＯＬＥＤ画素回路を含む表示装置。
【請求項１５】
請求項１−１３のいずれか一項に記載のＯＬＥＤ画素回路の駆動方法であって、
走査信号入力端が走査信号を入力し、データ信号入力端がデータ信号を入力し、駆動モジュールが発光モジュールを駆動して発光させるステップと、
発光モジュールが短絡した場合、短絡保護モジュールが前記駆動モジュールを制御してオフさせるステップと、を含む
駆動方法。
【請求項１６】
前記走査信号入力端が走査信号を入力し、第１トランジスタを制御してオンさせるステップと、
前記データ信号入力端がデータ信号を入力し、第２トランジスタを制御してオンさせて、ＯＬＥＤを駆動して発光させるステップと、
前記ＯＬＥＤが正常に発光すると、前記第２トランジスタのアノードに出力した信号が第３トランジスタを制御してオフさせるステップと、
前記ＯＬＥＤが短絡した場合、前記第２トランジスタをオフさせるように、第２電圧端の前記アノードに作用した信号が前記第３トランジスタを制御してオンさせるステップと、を含む
請求項１５に記載の駆動方法。
【請求項１７】
前記走査信号入力端が走査信号を入力し、第１トランジスタを制御してオンさせるステップと、
前記データ信号入力端がデータ信号を入力し、第２トランジスタを制御してオンさせて、ＯＬＥＤを駆動して発光させるステップと、
前記ＯＬＥＤが正常に発光すると、前記第２トランジスタのアノードに出力した信号が第４トランジスタを制御してオフさせるステップと、
前記ＯＬＥＤが短絡した場合、前記第２トランジスタをオフさせるように、第２電圧端の前記アノードに作用した信号が前記第４トランジスタを制御してオンさせるステップと、を含む
請求項１５に記載の駆動方法。
【発明の詳細な説明】
【技術分野】
【０００１】
本発明は、表示技術分野に関し、特に、ＯＬＥＤ画素回路及びその駆動方法、表示装置に関する。
【背景技術】
【０００２】
マルチメディア技術の急速な発展に伴い、ＯＬＥＤ（Ｏｒｇａｎｉｃ  Ｌｉｇｈｔ−Ｅｍｉｔｔｉｎｇ  Ｄｉｏｄｅ：有機発光ダイオード）は、自発光でき、コントラストが高く、色域が広く、製造プロセスが簡単で、消費電力が低く、フレキシブル表示を容易に実現できるなどのメリットを有するので、表示装置において、重要な発光素子となっている。
【０００３】
その中で、特に、ＡＭ−ＯＬＥＤ（Ａｃｔｉｖｅ  Ｍａｔｒｉｘ／Ｏｒｇａｎｉｃ  Ｌｉｇｈｔ−Ｅｍｉｔｔｉｎｇ  Ｄｉｏｄｅ：アクティブ・マトリックス有機発光ダイオード）表示パネルは、視角の制限が無く、製造コストが低く、応答速度が速く、消費電力が低く、動作温度の範囲が大きく、重量が軽く、ポータブルマシンの直流駆動に用いられ且つハードウェアデバイスに従って小型化及び薄型化できるなどのメリットを有するので、検討のホットスポットとなっている。
【０００４】
ところが、ＯＬＥＤはアノードとカソードとの間の各膜層そのものが薄いので、膜層に異物が入れ、或いは、穴掘りやクライミングなどのプロセスがよく制御されないと、膜層がさらに薄くなることを招き、ＯＬＥＤのアノードとカソードとの間の抵抗が小さくなって短絡することで、周りのサブ画素におけるＯＬＥＤのカソードとアノードとの間の電圧差が影響され、ひいては、周りのサブ画素の表示が影響されてしまう。
【発明の概要】
【発明が解決しようとする課題】
【０００５】
本開示の実施例は、短絡したサブ画素がその周りのサブ画素の表示に影響することを避けるＯＬＥＤ画素回路及びその駆動方法、表示装置を提供する。
【課題を解決するための手段】
【０００６】
前記目的を達成するために、本開示の実施例は、以下のような技術案を採用する。
【０００７】
本発明の第１の態様によれば、駆動モジュールと、発光モジュールと、短絡保護モジュールとを含むＯＬＥＤ画素回路を提供し、前記駆動モジュールは、それぞれ走査信号入力端、データ信号入力端、第１電圧端及び前記発光モジュールに接続され、前記走査信号入力端、前記データ信号入力端及び前記第１電圧端の制御下で前記発光モジュールを駆動して発光させるために用いられ、前記発光モジュールは、さらに第２電圧端に接続され、前記駆動モジュール及び前記第２電圧端の制御下で発光するために用いられ、前記短絡保護モジュールは、前記駆動モジュール及び前記発光モジュールに接続され、前記発光モジュールが短絡した時、前記駆動モジュールを制御してオフさせるために用いられる。
【０００８】
選択的に、前記駆動モジュールは、第１トランジスタと、第１コンデンサと、第２トランジスタとを含み、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第１極に接続され、ただし、前記第２トランジスタはＮ型トランジスタである。
【０００９】
選択的に、前記駆動モジュールは、第１トランジスタと、第１コンデンサと、第２トランジスタとを含み、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第２極に接続され、ただし、前記第２トランジスタはＮ型トランジスタである。
【００１０】
選択的に、前記発光モジュールはＯＬＥＤを含み、前記ＯＬＥＤは、アノードが前記駆動モジュールに接続され、カソードが前記第２電圧端に接続される。
【００１１】
選択的に、前記短絡保護モジュールは、第３トランジスタと、第２コンデンサとを含み、前記第３トランジスタは、ゲート及び第１極がいずれも前記発光モジュール及び前記駆動モジュールに接続され、第２極が前記第２コンデンサの第１端に接続され、前記第２コンデンサの第２端が前記駆動モジュールに接続され、ただし、前記第３トランジスタはＰ型トランジスタである。
【００１２】
さらに、選択的に、前記駆動モジュールは、第１トランジスタと、第１コンデンサと、第２トランジスタとを含み、前記発光モジュールは、ＯＬＥＤを含み、前記第３トランジスタのゲート及び第１極は、それぞれ前記第２トランジスタの第２極及び前記ＯＬＥＤのアノードのいずれにも接続され、前記第２コンデンサの第２端は、前記第１トランジスタの第２極及び前記第２トランジスタのゲートのいずれにも接続される。
【００１３】
選択的に、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第１極に接続される。
【００１４】
選択的に、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第２極に接続される。
【００１５】
選択的に、前記短絡保護モジュールは、第４トランジスタと、第２コンデンサとを含み、前記第４トランジスタは、ゲートが前記発光モジュール及び前記駆動モジュールのいずれにも接続され、第１極が前記発光モジュール及び前記第２電圧端のいずれにも接続され、第２極が前記第２コンデンサの第１端に接続され、前記第２コンデンサの第２端は前記駆動モジュールに接続され、ただし、前記第４トランジスタはＰ型トランジスタである。
【００１６】
選択的に、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第１極に接続される。
【００１７】
選択的に、前記第１トランジスタは、ゲートが前記走査信号入力端に接続され、第１極が前記データ信号入力端に接続され、第２極が前記第２トランジスタのゲートに接続され、前記第２トランジスタは、第１極が前記第１電圧端に接続され、第２極が前記発光モジュールに接続され、前記第１コンデンサは、第１端が前記第１トランジスタの第２極に接続され、第２端が前記第２トランジスタの第２極に接続される。
【００１８】
さらに、選択的に、前記駆動モジュールは、第１トランジスタと、第１コンデンサと、第２トランジスタとを含み、前記発光モジュールは、ＯＬＥＤを含み、前記第４トランジスタは、ゲートが前記第２トランジスタの第２極及び前記ＯＬＥＤのアノードのいずれにも接続され、第１極が前記ＯＬＥＤのカソード及び前記第２電圧端のいずれにも接続され、前記第２コンデンサの第２端は、前記第１トランジスタの第２極及び前記第２トランジスタのゲートのいずれにも接続される。
【００１９】
選択的に、前記第１トランジスタはＮ型トランジスタである。
【００２０】
本発明の第２の態様によれば、第１の態様に記載のＯＬＥＤ画素回路を含む表示装置を提供する。
【００２１】
本発明の第３の態様によれば、第１の態様に記載のＯＬＥＤ画素回路の駆動方法を提供し、前記駆動方法は、走査信号入力端が走査信号を入力し、データ信号入力端がデータ信号を入力し、駆動モジュールが発光モジュールを駆動して発光させるステップと、発光モジュールが短絡した場合、短絡保護モジュールが前記駆動モジュールを制御してオフさせるステップと、を含む。
【００２２】
選択的に、前記駆動方法は、前記走査信号入力端が走査信号を入力し、第１トランジスタを制御してオンさせるステップと、前記データ信号入力端がデータ信号を入力し、第２トランジスタを制御してオンさせて、ＯＬＥＤを駆動して発光させるステップと、前記ＯＬＥＤが正常に発光すると、前記第２トランジスタのアノードに出力した信号が第３トランジスタを制御してオフさせるステップと、前記ＯＬＥＤが短絡した場合、前記第２トランジスタをオフさせるように、第２電圧端の前記アノードに作用した信号が前記第３トランジスタを制御してオンさせるステップと、を含む。
【００２３】
選択的に、前記駆動方法は、前記走査信号入力端が走査信号を入力し、第１トランジスタを制御してオンさせるステップと、前記データ信号入力端がデータ信号を入力し、第２トランジスタを制御してオンさせて、ＯＬＥＤを駆動して発光させるステップと、前記ＯＬＥＤが正常に発光すると、前記第２トランジスタのアノードに出力した信号が第４トランジスタを制御してオフさせることと、前記ＯＬＥＤが短絡した場合、前記第２トランジスタをオフさせるように、第２電圧端の前記アノードに作用した信号が前記第４トランジスタを制御してオンさせるステップと、を含む。
【００２４】
本開示の実施例は、ＯＬＥＤ画素回路及びその駆動方法、表示装置を提供し、ＯＬＥＤ画素回路に短絡保護モジュールを追加し、且つ、サブ画素の発光モジュールが正常に発光する時、短絡保護モジュールがオフされ、サブ画素の発光モジュールが短絡した場合、短絡保護モジュールがオンされ、駆動モジュールを制御してオフさせて、第１電圧端とデータ信号入力端の信号が発光モジュールに出力することができなくなり、これにより、発光モジュールが短絡しても、発光モジュールに接続される第２電圧端の信号は上昇せず、そのまま元の信号強度を保持することで、あるサブ画素が短絡してその周りのサブ画素の正常の表示に影響することを避けることができる。
【００２５】
本開示の実施例の技術案をより明らかに説明するために、以下に、実施例を記述するために必要な添付図面を簡単に説明する。後述の図面は本開示のいくつかの実施例だけであり、当業者にとっては、創造性の労働を費やさない前提で、これら図面によって、他の図面を取得することができることは当然である。
【図面の簡単な説明】
【００２６】
【図１】ＯＬＥＤ画素回路の構成模式図である。
【図２】本開示の実施例が提供するＯＬＥＤ画素回路の構成模式図。
【図３】図２における各モジュールの具体的な構成模式図の一である。
【図４】図２における各モジュールの具体的な構成模式図の二である。
【図５】図２における各モジュールの具体的な構成模式図の三である。
【図６】図２における各モジュールの具体的な構成模式図の四である。
【発明を実施するための形態】
【００２７】
以下、本開示の実施例における図面に結合して、本開示の実施例における技術案に対して明確で完全な記述を行う。記述する実施例は、本開示の一部の実施例だけであり、すべての実施例ではないことは当然である。本開示における実施例に基づいて、当業者が創造性の労働を費やさない前提下で取得した全ての他の実施例は、本開示の保護の範囲に属する。
【００２８】
図１はＯＬＥＤ画素回路の構成模式図である。図１に示すように、ＡＭ−ＯＬＥＤ表示パネルの画素構成において、各サブ画素には、それぞれ１セットのトランジスタと第１コンデンサが集積し、トランジスタと第１コンデンサに対する駆動制御により、サブ画素におけるＯＬＥＤの電流に対する制御を実現して、ＯＬＥＤを駆動して発光させる。
【００２９】
本開示の他の実施例は、ＯＬＥＤ画素回路を提供し、図２に示すように、駆動モジュール１０と、発光モジュール２０と、短絡保護モジュール３０と、を含む。
【００３０】
駆動モジュール１０は、それぞれ走査信号入力端ＧＡＴＥと、データ信号入力端ＤＡＴＡと、第１電圧端Ｖ１と、発光モジュール２０に接続され、走査信号入力端ＧＡＴＥと、データ信号入力端ＤＡＴＡと、第１電圧端Ｖ１の制御下で発光モジュール２０を駆動して発光させるために用いられる。
【００３１】
発光モジュール２０はさらに、第２電圧端Ｖ２に接続され、駆動モジュール１０と第２電圧端Ｖ２の制御下で発光するために用いられる。
【００３２】
短絡保護モジュール３０は、駆動モジュール１０と発光モジュール２０に接続され、発光モジュール２０が短絡した時、駆動モジュール１０を制御してオフさせる。
【００３３】
本開示の実施例は、ＯＬＥＤ画素回路を提供し、ＯＬＥＤ画素回路に短絡保護モジュール３０を追加し、且つ、サブ画素の発光モジュール２０が正常に発光する時、短絡保護モジュール３０がオフされ、サブ画素の発光モジュール２０が短絡した場合、短絡保護モジュール３０がオンされ、駆動モジュール１０を制御してオフさせて、第１電圧端Ｖ１とデータ信号入力端ＤＡＴＡの信号を発光モジュール２０に出力することができなくなり、これにより、発光モジュール２０が短絡しても、発光モジュール２０に接続される第２電圧端Ｖ２の信号は上昇せず、そのまま元の信号強度を保持することで、あるサブ画素が短絡してその周りのサブ画素の正常の表示に影響することを避けることができる。
【００３４】
以下、具体的な実施例に結合して、図２における各モジュールの具体的な構成について詳しく説明する。
【００３５】
実施例１
実施例１は、ＯＬＥＤ画素回路を提供し、図３に示すように、駆動モジュール１０は、第１トランジスタＴ１と、第１コンデンサＣ１と、第２トランジスタＴ２と、を含む。
【００３６】
第１トランジスタＴ１は、ゲートが走査信号入力端ＧＡＴＥに接続され、第１極がデータ信号入力端ＤＡＴＡに接続され、第２極が第２トランジスタＴ２のゲートに接続される。
【００３７】
第２トランジスタＴ２は、第１極が第１電圧端Ｖ１に接続され、第２極が発光モジュール２０に接続される。
【００３８】
第１コンデンサＣ１は、第１端が第１トランジスタＴ１の第２極に接続され、第２端が第２トランジスタＴ２の第１極に接続される。
【００３９】
或いは、図４に示すように、第１コンデンサＣ１は、第１端が第１トランジスタＴ１の第２極に接続され、第２端が第２トランジスタＴ２の第２極に接続される。
【００４０】
発光モジュール２０は、ＯＬＥＤを含み、ＯＬＥＤは、アノードが駆動モジュール１０に接続され、カソードが第２電圧端Ｖ２に接続される。
【００４１】
短絡保護モジュール３０は、第３トランジスタＴ３と第２コンデンサＣ２を含み、前記第３トランジスタＴ３は、ゲートと第１極がいずれも、発光モジュール３０と駆動モジュール１０に接続され、第２極が第２コンデンサＣ２の第１端に接続される。
【００４２】
第２コンデンサの第２端は、駆動モジュール１０に接続される。
【００４３】
ただし、第２トランジスタＴ２はＮ型トランジスタであり、第３トランジスタＴ３はＰ型トランジスタである。
【００４４】
より具体的には、第２トランジスタＴ２は、第１極が第１電圧端Ｖ１に接続され、第２極がＯＬＥＤのアノードに接続される。
【００４５】
図３に示すように、第１コンデンサＣ１は、第１端が第１トランジスタＴ１の第２極と第２トランジスタＴ２のゲートのいずれにも接続され、第２端が第２トランジスタＴ２の第１極と第１電圧端Ｖ１のいずれにも接続される。
【００４６】
或いは、図４に示すように、第１コンデンサＣ１は、第１端が第１トランジスタＴ１の第２極と第２トランジスタＴ２のゲートのいずれにも接続され、第２端が第２トランジスタＴ２の第２極とＯＬＥＤのアノードのいずれにも接続される。
【００４７】
第３トランジスタＴ３は、ゲートが第２トランジスタＴ２の第２極とＯＬＥＤのアノードのいずれにも接続され、第１極が第２トランジスタＴ２の第２極とＯＬＥＤのアノードのいずれにも接続され、第２極が第２コンデンサＣ２の第１端に接続される。
【００４８】
第２コンデンサＣ２の第２端は、第１トランジスタＴ１の第２極と第２トランジスタＴ２のゲートのいずれにも接続される。
【００４９】
必要な説明として、以下のようです。
【００５０】
第１：第１トランジスタＴ１はＮ型トランジスタでもよく、Ｐ型トランジスタでもよい。本開示の実施例による好ましい第１トランジスタＴ１はＮ型トランジスタである。図３と図４において第１トランジスタＴ１はＮ型トランジスタであることとして例示する。
【００５１】
第２：本開示の実施例によるトランジスタは、エンハンスメント型トランジスタでもよく、空乏型トランジスタでもよい。本開示の実施例によるトランジスタは、第１極がソースでもよく、第２極がドレインでもよいし、または、トランジスタは、第１極がドレインでもよく、第２極がソースでもよく、本開示はこれに対して制限するものではなく、トランジスタのタイプによって、適正に選択すればよい。
【００５２】
第３：本開示の実施例は、第１電圧端Ｖ１は、ハイレベルを一定出力とし、第２電圧端Ｖ２は、ローレベルを一定出力とすることを例として説明するものである。
【００５３】
第４：第３トランジスタＴ３がオンされると、第２電圧端Ｖ２は、第３トランジスタＴ３を通じてデータ信号入力端ＤＡＴＡの第２コンデンサＣ２に入力する高電圧信号を引き下げて、データ信号入力端ＤＡＴＡが入力する高電圧信号がＯＬＥＤのアノードに出力してしまうことを避ける。
【００５４】
以上、図３と図４に示すように、走査信号入力端ＧＡＴＥが走査信号を入力すると、第１トランジスタＴ１がオンされ、データ信号入力端ＤＡＴＡがデータ信号を入力して、第１トランジスタＴ１を経由して第２トランジスタＴ２のゲートに出力され、同時に、第１コンデンサＣ１へ充電される。第２トランジスタＴ２はＰ型トランジスタであり、高電圧信号の制御下で、第２トランジスタＴ２がオンされ、第１電圧端Ｖ１の高電圧信号は、第２トランジスタＴ２を経由してＯＬＥＤのアノードに出力され、同時に、第２電圧端Ｖ２の低電圧信号がＯＬＥＤのカソードに出力されて、ＯＬＥＤを駆動して発光させる。ただし、第３トランジスタＴ３はＮ型トランジスタであり、そのゲートが低電圧信号を受信してオンされ、正常に表示する場合、ＯＬＥＤのアノードは、第３トランジスタＴ３のゲートに高電圧信号を出力し、第３トランジスタがオフされる。
【００５５】
ＯＬＥＤのアノードとカソードが短絡した時、アノードでの電位が低くなり、この際、アノードが第３トランジスタＴ３のゲートに低電圧信号を出力し、第３トランジスタＴ３を制御してオンさせ、アノードでの低電圧信号が第３トランジスタＴ３を経由して、第２トランジスタＴ２のゲートに出力され、低電圧信号の制御下で、第２トランジスタＴ２がオフされる。第１電圧端Ｖ１の高電圧信号は、アノードへ出力することを停止し、且つ、第２電圧端Ｖ２は第３トランジスタＴ３を通じてデータ信号入力端ＤＡＴＡの第２コンデンサＣ２に入力する高電圧信号を引き下げて、データ信号入力端ＤＡＴＡの高電圧信号もアノードに出力されることができない。
【００５６】
これにより、ＯＬＥＤのアノードとカソードが短絡した後、カソードでの低電位は、アノードでの高電圧との中和によって上昇せず、第２電圧端Ｖ２での信号に影響しない。
【００５７】
実施例２
実施例２はＯＬＥＤ画素回路を提供し、図５に示すように、駆動モジュール１０は、第１トランジスタＴ１と、第１コンデンサＣ１と、第２トランジスタＴ２と、を含む。
【００５８】
第１トランジスタＴ１は、ゲートが走査信号入力端ＧＡＴＥに接続され、第１極がデータ信号入力端ＤＡＴＡに接続され、第２極が第２トランジスタＴ２のゲートに接続される。
【００５９】
第２トランジスタＴ２は、第１極が第１電圧端Ｖ１に接続され、第２極が発光モジュール２０に接続される。
【００６０】
第１コンデンサＣ１は、第１端が第１トランジスタＴ１の第２極に接続され、第２端が第２トランジスタＴ２の第１極に接続される。
【００６１】
或いは、図６に示すように、第１コンデンサＣ１は、第１端が第１トランジスタＴ１の第２極に接続され、第２端が第２トランジスタＴ２の第２極に接続される。
【００６２】
発光モジュール２０は、ＯＬＥＤを含み、ＯＬＥＤは、アノードが駆動モジュール１０に接続され、カソードが第２電圧端Ｖ２に接続される。
【００６３】
短絡保護モジュール３０は、第４トランジスタＴ４と第２コンデンサを含み、第４トランジスタＴ４は、ゲートが発光モジュール２０と駆動モジュール１０のいずれにも接続され、第１極が発光モジュール２０と第２電圧端Ｖ２のいずれにも接続され、第２極が第２コンデンサＣ２の第１端に接続される。
【００６４】
第２コンデンサＣ２の第２端は駆動モジュール２０に接続される。
【００６５】
ただし、第２トランジスタＴ２はＮ型トランジスタであり、第４トランジスタＴ４はＰ型トランジスタである。
【００６６】
より具体的には、第２トランジスタＴ２は、第１極が第１電圧端Ｖ１に接続され、第２極がＯＬＥＤのアノードに接続される。
【００６７】
図５に示すように、第１コンデンサＣ１は、第１端が第１トランジスタＴ１の第２極と第２トランジスタＴ２のゲートのいずれにも接続され、第２端が第２トランジスタＴ２の第１極と第１電圧端Ｖ１のいずれにも接続される。
【００６８】
或いは、図６に示すように、第１コンデンサＣ１は、第１端が第１トランジスタＴ１の第２極と第２トランジスタＴ２のゲートのいずれにも接続され、第２端が第２トランジスタＴ２の第２極とＯＬＥＤのアノードのいずれにも接続される。
【００６９】
第４トランジスタＴ４は、ゲートが第２トランジスタＴ２の第２極とＯＬＥＤのアノードのいずれにも接続され、第１極が第２電圧端Ｖ２とＯＬＥＤのカソードのいずれにも接続され、第２極が第２コンデンサＣ２の第１端に接続される。
【００７０】
第２コンデンサＣ２は、第２端が第１トランジスタＴ１の第２極と第２トランジスタＴ２のゲートのいずれにも接続される。
【００７１】
以上、図５と図６に示すように、走査信号入力端ＧＡＴＥが走査信号を入力すると、第１トランジスタＴ１がオンされ、データ信号入力端ＤＡＴＡがデータ信号を入力し、第１トランジスタＴ１を経由して第２トランジスタＴ２のゲートに出力され、同時に、第１コンデンサＣ１へ充電される。第２トランジスタＴ２はＰ型トランジスタであり、高電圧信号の制御下で、第２トランジスタＴ２がオンされ、第１電圧端Ｖ１の高電圧信号は、第２トランジスタＴ２を経由してＯＬＥＤのアノードに出力され、同時に、第２電圧端Ｖ２の低電圧信号がＯＬＥＤのカソードに出力されて、ＯＬＥＤを駆動して発光させる。ただし、第４トランジスタＴ４はＮ型トランジスタであり、そのゲートが低電圧信号を受信してオンされ、正常に表示する場合、ＯＬＥＤのアノードは、第４トランジスタＴ４のゲートに高電圧信号を出力し、第４トランジスタがオフされる。
【００７２】
ＯＬＥＤのアノードとカソードが短絡した時、アノードでの電位が低くなり、この際、アノードが第４トランジスタＴ４のゲートに低電圧信号を出力し、第４トランジスタＴ４を制御してオンさせ、第２電圧端Ｖ２での低電圧信号が第４トランジスタＴ４を経由して、第２トランジスタＴ２のゲートに出力され、低電圧信号の制御下で、第２トランジスタＴ２がオフされる。第１電圧端Ｖ１の高電圧信号は、アノードへ出力することを停止し、且つ、第２電圧端Ｖ２は第３トランジスタＴ３を通じてデータ信号入力端ＤＡＴＡの第２コンデンサＣ２に入力する高電圧信号を引き下げて、データ信号入力端ＤＡＴＡの高電圧信号もアノードに出力されることができない。
【００７３】
本開示の実施例は、表示装置をさらに提供し、前記したいずれのＯＬＥＤ画素回路を含む。前記した実施例によるＯＬＥＤ画素回路と同様な構成及び有益な効果を有する。前記した実施例は既に、ＯＬＥＤ画素回路の構成及び有益な効果について詳しい記述が行われたので、ここでは、重複な記述をしない。
【００７４】
本開示の実施例は、前記ＯＬＥＤ画素回路の駆動方法をさらに提供し、前記駆動方法は、走査信号入力端ＧＡＴＥが走査信号を入力して、データ信号入力端ＤＡＴＡがデータ信号を入力して、駆動モジュール１０が発光モジュール２０を駆動して発光させるステップを含む。
【００７５】
発光モジュール２０が短絡した場合、短絡保護モジュール３０が駆動モジュール１０を制御してオフさせる。
【００７６】
具体的に、図３と図４に示すように、走査信号入力端ＧＡＴＥが走査信号を入力することで、第１トランジスタＴ１を制御してオンさせ、データ信号入力端ＤＡＴＡがデータ信号を入力することで、第２トランジスタＴ２を制御してオンさせて、ＯＬＥＤを駆動して発光させる。
【００７７】
ＯＬＥＤが正常に発光されると、第１電圧端Ｖ１が第２トランジスタＴ２を経由してアノードに出力される信号は、第３トランジスタを制御してオフさせる。
【００７８】
ＯＬＥＤが短絡した場合、第２電圧端Ｖ２がアノードに作用する信号は、第３トランジスタＴ３を制御してオンさせ、第２電圧端Ｖ２がアノードに作用する信号は、第２トランジスタＴ２を制御してオフさせる。
【００７９】
或いは、図５と図６に示すように、ＯＬＥＤが正常に発光されると、第１電圧端Ｖ１が第２トランジスタＴ２を経由してアノードに出力される信号は、第４トランジスタを制御してオフさせる。
【００８０】
ＯＬＥＤが短絡した場合、第２電圧端Ｖ２がアノードに作用する信号は、第４トランジスタＴ４を制御してオンさせ、第２電圧端Ｖ２での信号は、直接に第２トランジスタＴ２を制御してオフさせる。
【００８１】
本開示の実施例は、ＯＬＥＤ画素回路の駆動方法を提供し、ＯＬＥＤ画素回路に短絡保護モジュール３０を追加し、且つ、サブ画素の発光モジュール２０が正常に発光する時、短絡保護モジュール３０がオフされ、サブ画素の発光モジュール２０が短絡した場合、短絡保護モジュール３０がオンされ、駆動モジュール１０を制御してオフさせて、第１電圧端Ｖ１とデータ信号入力端ＤＡＴＡの信号が発光モジュール２０に出力することができなくなり、これにより、発光モジュール２０が短絡しても、発光モジュール２０に接続される第２電圧端Ｖ２の信号は上昇せず、そのまま元の信号強度を保持することで、あるサブ画素が短絡してその周りのサブ画素の正常の表示に影響することを避けることができる。
【００８２】
以上の記載は、本開示の具体的な実施の形態に過ぎなく、本開示の保護の範囲はこれに限らず、この技術分野を熟知している如何なる当業者が、本開示に掲載の技術の範囲内で、変更或いは置き換えが容易に想到し得るものは、本開示の保護の範囲に含まれている。そこで、本開示の保護の範囲は、前記特許請求の保護の範囲を準拠とする。
【符号の説明】
【００８３】
１０  駆動モジュール
２０  発光モジュール
３０  短絡保護モジュール
ＧＡＴＥ  走査信号入力端
ＤＡＴＡ  データ信号入力端
Ｖ１  第１電圧端
Ｖ２  第２電圧端
Ｃ１  第１コンデンサ
Ｃ２  第２コンデンサ
Ｔ１  第１トランジスタ
Ｔ２  第２トランジスタ
Ｔ３  第３トランジスタ
【図１】
2020502549.tif 000003
【図２】
2020502549.tif 000004
【図３】
2020502549.tif 000005
【図４】
2020502549.tif 000006
【図５】
2020502549.tif 000007
【図６】
2020502549.tif 000008
【国際調査報告】
2020502549.tif 000009
2020502549.tif 000010
2020502549.tif 000011
2020502549.tif 000012
2020502549.tif 000013
2020502549.tif 000014